【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
画像記録装置に設けられ、第１の開口を有する第１の液体経路に対して移動する移動開口を有する第１の移動部材を備える第１の接続部に対して、着脱可能に構成される第２の接続部を備えるインクカートリッジであって、
該インクカートリッジは、
前記第２の接続部に形成され、移動により第２の開口と連通する第２の液体経路が形成された第２の移動部材を有し、
前記第１の接続部に前記第２の接続部が押し込まれることにより、
前記第１の移動部材は、前記移動開口の位置が前記第１の開口及び前記第２の開口と非連通状態である第１の位置から、前記第１の開口及び前記第２の開口と連通状態である第２の位置まで移動し、
前記第２の移動部材は、前記インクカートリッジ内のインクと非連通状態である第３の位置から前記インクカートリッジ内のインクと連通状態である第４の位置まで移動し、前記第１の液体経路と前記第２の液体経路とを連通させる、
ように構成されることを特徴とするインクカートリッジ。
【請求項２】
画像記録装置に設けられ、第１の開口を有する第１の液体経路に対して移動する移動開口を有する第１の移動部材を備える第１の接続部に対して、着脱可能に構成される第２の接続部を備えるインクカートリッジであって、
該インクカートリッジは、
前記第２の接続部に形成され、移動により第２の開口と連通する第２の液体経路が形成された第２の移動部材を有し、
前記第１の接続部と前記第２の接続部が接続された状態から、接続が解除される場合、
前記第１の移動部材は、前記移動開口の位置が前記第１の開口及び前記第２の開口と連通状態である第２の位置から、前記第１の開口及び前記第２の開口と非連通状態である第１の位置まで移動し、
前記第２の移動部材は、前記インクカートリッジ内のインクと連通状態である第４の位置から前記インクカートリッジ内のインクと非連通状態である第３の位置まで移動し、前記第１の液体経路と前記第２の液体経路とを非連通状態とする、
ように構成されることを特徴とするインクカートリッジ。
【請求項３】
画像記録装置に設けられ、接続端側が開口した第１の筒状部と、
該第１の筒状部の前記開口と対向する底部に固設された軸部材と、
前記底部に形成された第１の開口を有する第１の液体経路と、
前記軸部材と嵌合し、該軸部材の軸方向に前記第１の筒状部の内周面に摺接しながら移動する移動開口を有する第１の移動部材と、
該第１の移動部材を前記接続端側に付勢する付勢部材と、
を備える第１の接続部に対して、着脱可能に構成される第２の接続部を備えるインクカートリッジであって、
前記第２の接続部は、接続端側を底部とする第２の開口を有する第２の筒状部と、
該第２の筒状部内に設けられ、移動により前記第２の開口と連通する第２の液体経路が形成された第２の移動部材と、
前記第２の移動部材を前記接続端側に付勢する付勢部材と、
を備え、
前記第１の移動部材は、
前記第１の接続部の前記第１の筒状部に対し前記第２の接続部の前記第２の筒状部が押し込まれることにより、前記移動開口の位置が前記第１の開口及び前記第２の開口と非対向状態である第１の位置から、前記第１の開口及び前記第２の開口と対向状態である第２の位置まで前記軸部材に沿って回転移動して、前記第１の液体経路と前記第２の液体経路とを連通させる、
ように構成されることを特徴とするインクカートリッジ。
【請求項４】
画像記録装置に設けられ、接続端側が開口した第１の筒状部と、
該第１の筒状部の前記開口と対向する底部に固設された軸部材と、
前記底部に形成された第１の開口を有する第１の液体経路と、
前記軸部材と嵌合し、該軸部材の軸方向に前記第１の筒状部の内周面に摺接しながら移動する移動開口を有する第１の移動部材と、
該第１の移動部材を前記接続端側に付勢する付勢部材と、
を備える第１の接続部に対して、着脱可能に構成される第２の接続部を備えるインクカートリッジであって、
前記第２の接続部は、接続端側を底部とする第２の開口を有する第２の筒状部と、
該第２の筒状部内に設けられ、移動により前記第２の開口と連通する第２の液体経路が形成された第２の移動部材と、
前記第２の移動部材を前記接続端側に付勢する付勢部材と、
を備え、
前記第１の移動部材は、
前記第１の接続部の前記第１の筒状部に対し前記第２の接続部の前記第２の筒状部が接続された状態から接続が解除される場合、前記移動開口の位置が前記第１の開口及び前記第２の開口と対向状態である第２の位置から、前記第１の開口及び前記第２の開口と非対向状態である第１の位置まで前記軸部材に沿って回転移動して、前記第１の液体経路と前記第２の液体経路とを非連通状態にさせる、
ように構成されることを特徴とするインクカートリッジ。
【請求項５】
前記第２の筒状部は、底部に、前記軸部材が嵌入可能な嵌入孔を有し、
前記第２の筒状部が、前記第１の移動部材を前記第１の筒状部の前記底部側に対し押し込んだとき、
前記軸部材は、
相対的に前記嵌入孔から嵌入して前記第２の移動部材を、前記付勢部材が付勢する方向とは逆方向に押し込むことにより、
前記第２の移動部材を、前記第２の液体経路が前記第２の接続部側の液体と非連通状態である第３の位置から、前記第２の接続部側の液体と連通状態である第４の位置まで直線移動させる、
ことを特徴とする請求項３記載のインクカートリッジ。
【請求項６】
前記第２の筒状部が、前記第１の移動部材を前記第１の筒状部の前記底部側から引き出されるとき、
前記軸部材は、
前記第２の移動部材を前記付勢部材が付勢する方向に、相対的に前記嵌入孔から移動することにより、
前記第２の移動部材を、前記第２の液体経路が前記第２の接続部側の液体と連通状態である第４の位置から、前記第２の接続部側の液体と非連通状態である第３の位置まで直線移動させる、
ことを特徴とする請求項４記載のインクカートリッジ。
【請求項７】
前記第１の接続部と前記第２の接続部とが接続される際は、先に前記移動開口の位置が前記第２の位置となり、その後に前記第２の液体経路の位置が前記第４の位置となる、
ことを特徴とする請求項１乃至６のいずれか一項に記載のインクカートリッジ。
【請求項８】
前記第１の接続部と前記第２の接続部との接続が解除される際は、先に前記第２の液体経路の位置が前記第３の位置となり、その後に前記移動開口の位置が前記第１の位置となる、
ことを特徴とする請求項１乃至７のいずれか一項に記載のインクカートリッジ。
【請求項９】
画像記録装置に設けられる第１の接続部に対して、着脱可能に構成される第２の接続部を備えるインクカートリッジであって、
前記第１の接続部又は前記第２の接続部のいずれか一方は、第１の開口を有する第１の液体経路に対して移動する移動開口を有する第１の移動部材を備え、
前記第１の接続部又は前記第２の接続部のいずれか他方は、移動により第２の開口と連通する第２の液体経路が形成された第２の移動部材を有し、
前記第１の接続部に前記第２の接続部が押し込まれることにより、
前記第１の移動部材は、前記移動開口の位置が前記第１の開口及び前記第２の開口と非連通状態である第１の位置から、前記第１の開口及び前記第２の開口と連通状態である第２の位置まで移動し、
前記第２の移動部材は、非連通状態である第３の位置から連通状態である第４の位置まで移動し、前記第１の液体経路と前記第２の液体経路とを連通させる、
ように構成されることを特徴とするインクカートリッジ。
【請求項１０】
画像記録装置に設けられる第１の接続部に対して、着脱可能に構成される第２の接続部を備えるインクカートリッジであって、
前記第１の接続部又は前記第２の接続部のいずれか一方は、第１の開口を有する第１の液体経路に対して移動する移動開口を有する第１の移動部材を備え、
前記第１の接続部又は前記第２の接続部のいずれか他方は、移動により第２の開口と連通する第２の液体経路が形成された第２の移動部材を有し、
前記第１の接続部と前記第２の接続部が接続された状態から、接続が解除される場合、
前記第１の移動部材は、前記移動開口の位置が前記第１の開口及び前記第２の開口と連通状態である第２の位置から、前記第１の開口及び前記第２の開口と非連通状態である第１の位置まで移動し、
前記第２の移動部材は、連通状態である第４の位置から非連通状態である第３の位置まで移動し、前記第１の液体経路と前記第２の液体経路とを非連通状態とする、
ように構成されることを特徴とするインクカートリッジ。

【請求項１１】
画像記録装置に設けられ、接続端側を底部とする第２の開口を有する第２の筒状部と、
該第２の筒状部内に設けられ、移動により前記第２の開口と連通する第２の液体経路が形成された第２の移動部材と、
該第２の移動部材を前記接続端側に付勢する付勢部材と、
を備える第２の接続部に対して、着脱可能に構成される第１の接続部を備えるインクカートリッジであって、
前記第１の接続部は、
接続端側が開口した第１の筒状部と、
該第１の筒状部の前記開口と対向する底部に固設された軸部材と、
前記底部に形成された第１の開口を有する第１の液体経路と、
前記軸部材と嵌合し、該軸部材の軸方向に前記第１の筒状部の内周面に摺接しながら移動する移動開口を有する第１の移動部材と、
該第１の移動部材を前記接続端側に付勢する付勢部材と、
を備え、
前記第１の移動部材は、
前記第２の接続部の前記第２の筒状部に対し前記第１の接続部の前記第１の筒状部が押し込まれることにより、前記移動開口の位置が前記第１の開口及び前記第２の開口と非対向状態である第１の位置から、前記第１の開口及び前記第２の開口と対向状態である第２の位置まで前記軸部材に沿って回転移動して、前記第１の液体経路と前記第２の液体経路とを連通させる、
ように構成されることを特徴とするインクカートリッジ。
【請求項１２】
画像記録装置に設けられ、接続端側を底部とする第２の開口を有する第２の筒状部と、
該第２の筒状部内に設けられ、移動により前記第２の開口と連通する第２の液体経路が形成された第２の移動部材と、
前記第２の移動部材を前記接続端側に付勢する付勢部材と、
を備える第２の接続部に対して、着脱可能に構成される第１の接続部を備えるインクカートリッジであって、
前記第１の接続部は、
接続端側が開口した第１の筒状部と、
該第１の筒状部の前記開口と対向する底部に固設された軸部材と、
前記底部に形成された第１の開口を有する第１の液体経路と、
前記軸部材と嵌合し、該軸部材の軸方向に前記第１の筒状部の内周面に摺接しながら移動する移動開口を有する第１の移動部材と、
該第１の移動部材を前記接続端側に付勢する付勢部材と、
を備え、
前記第１の移動部材は、
前記第２の接続部の前記第２の筒状部に対し前記第１の接続部の前記第１の筒状部が接続された状態から接続が解除される場合、前記移動開口の位置が前記第１の開口及び前記第２の開口と対向状態である第２の位置から、前記第１の開口及び前記第２の開口と非対向状態である第１の位置まで前記軸部材に沿って回転移動して、前記第１の液体経路と前記第２の液体経路とを非連通状態にさせる、
ように構成されることを特徴とするインクカートリッジ。